(57)【要約】【課題】撮影設定を変更する場合にユーザが所望する設定値に素早く設定できるようにすることを目的とする。【解決手段】撮影設定を変更する画面において、自動的に値を決定するオートを含む全ての設定可能な設定候補のうち一部の範囲の複数の設定候補を並べたスケールを表示手段に表示すると共に、スケールとは異なる位置に、オートに設定するための表示アイテムを表示手段に表示するように制御する表示制御手段と、スケールに表示される設定候補の範囲を変更する操作および表示アイテムに対する操作を受け付ける受付手段と、スケールに対する操作に応じてスケールに表示された設定候補の１つを設定値として設定する設定手段と、を有する撮像装置であって、設定手段は、スケールに表示されている設定候補の範囲に関わらず、表示アイテムに対する操作に応じて設定値としてオートを設定する。【選択図】図３
2014056470.tif 000002
【特許請求の範囲】
【請求項１】
撮影設定を変更する画面において、自動的に値を決定するオートを含む全ての設定可能な設定候補のうち一部の範囲の複数の設定候補を並べたスケールを表示手段に表示すると共に、前記スケールとは異なる位置に、前記オートに設定するための表示アイテムを前記表示手段に表示するように制御する表示制御手段と、
前記スケールに表示される設定候補の範囲を変更する操作および設定候補を選択する操作を受け付ける受付手段と、
前記スケールに表示される設定候補を選択する操作に応じて前記スケールに表示された設定候補の１つを設定値として設定する設定手段と、を有する撮像装置であって、
前記設定手段は、前記表示アイテムに対する操作に応じて、前記スケールに表示されている設定候補の範囲に関わらず、設定値として前記オートを設定することを特徴とする撮像装置。
【請求項２】
前記表示制御手段は、前記スケールにオートを表示している場合に、前記表示アイテムを非表示にすることを特徴とする請求項１に記載の撮像装置。
【請求項３】
前記設定手段は、設定値として前記オートを設定している状態で、前記表示アイテムに対する操作に応じて、前記オートを設定する前に設定していた設定値を設定することを特徴とする請求項１または２に記載の撮像装置。
【請求項４】
前記表示制御手段は、前記設定手段により前記表示アイテムに対する操作に応じて設定値として前記オートが設定される場合、前記スケールに表示する設定候補にオートを含めて表示することを特徴とする請求項１ないし３の何れか１項に記載の撮像装置。
【請求項５】
前記表示制御手段は、前記設定手段により前記表示アイテムに対する操作に応じて設定値として前記オートが設定される場合、前記オートが設定されることをユーザに識別可能に表示することを特徴とする請求項４に記載の撮像装置。
【請求項６】
任意の設定値を登録する登録手段を更に有し
前記表示制御手段は、前記スケールとは異なる位置に、前記登録手段により登録された任意の設定値に設定するための登録表示アイテムを前記表示手段に表示し、
前記設定手段は、前記登録表示アイテムに対する操作に応じて、前記スケールに表示されている設定候補の範囲に関わらず、設定値として前記任意の設定値を設定することを特徴とする請求項１ないし５の何れか１項に記載の撮像装置。
【請求項７】
撮影設定を変更する画面において、自動的に値を決定するオートを含む全ての設定可能な設定候補のうち一部の範囲の複数の設定候補を並べたスケールを表示手段に表示すると共に、前記スケールとは異なる位置に、前記オートに設定するための表示アイテムを前記表示手段に表示するように制御する表示制御ステップと、
前記スケールに表示される設定候補の範囲を変更する操作および設定候補を選択する操作を受け付ける受付ステップと、
前記スケールに表示される設定候補を選択する操作に応じて前記スケールに表示された設定候補の１つを設定値として設定する設定ステップと、を有する撮像装置の制御方法であって、
前記設定ステップでは、前記表示アイテムに対する操作に応じて、前記スケールに表示されている設定候補の範囲に関わらず、設定値として前記オートを設定することを特徴とする撮像装置の制御方法。
【請求項８】
撮影設定を変更する画面において、自動的に値を決定するオートを含む全ての設定可能な設定候補のうち一部の範囲の複数の設定候補を並べたスケールを表示手段に表示すると共に、前記スケールとは異なる位置に、前記オートに設定するための表示アイテムを前記表示手段に表示するように制御する表示制御ステップと、
前記スケールに表示される設定候補の範囲を変更する操作および設定候補を選択する操作を受け付ける受付ステップと、
前記スケールに表示される設定候補を選択する操作に応じて前記スケールに表示された設定候補の１つを設定値として設定する設定ステップと、を撮像装置のコンピュータに実行させるためのプログラムであって、
前記設定ステップでは、前記表示アイテムに対する操作に応じて、前記スケールに表示されている設定候補の範囲に関わらず、前記設定値として前記オートを設定することを特徴とするプログラム。
【請求項９】
請求項８に記載のプログラムを記録したコンピュータ読み取り可能な記録媒体。
【発明の詳細な説明】
【技術分野】
【０００１】
本発明は、撮像装置、その制御方法、プログラムおよび記録媒体に関するものである。
【背景技術】
【０００２】
撮影設定に関する設定値が連続している場合に、設定値の設定候補を複数並べて表示するスケールを用い、ユーザに設定を促すＧＵＩを提供する撮像装置が知られている。このような撮像装置において、設定候補が１画面のスケール内に収まらない場合、ユーザは所望する設定値まで方向キー操作やダイヤル操作を連続して行った上で設定値を選択する。また、タッチパネルを介したタッチ操作の場合でも、設定候補が１画面のスケール内に収まらない場合、ユーザは所望する設定値までタッチ操作を連続して行った上で設定値を選択する。
【０００３】
特許文献１には、表示画面内の所望の位置を表示データ内で自由に移動させるようにして表示データに対する画面のスクロールを行うスクロール処理装置が開示されている。しかしながら、特許文献１に開示されたスクロール処理装置は、ユーザが所望する設定値に移動するものではない。
【先行技術文献】
【特許文献】
【０００４】
【特許文献１】特開２０００−２０２１０号公報
【発明の概要】
【発明が解決しようとする課題】
【０００５】
１画面のスケール内に複数の設定候補が収まらないときに所望する設定値がスケール内に存在しない場合、ユーザはスケール内に表示される設定候補を変更する操作が必要になってしまい例えばスケールの端から端まで到達するには、多くの手数が掛かってしまう。特に、ユーザが頻繁に用いる設定値がスケール内に離れて存在している場合には、設定を変更する度に上述のような操作を行わなければならず、操作が煩わしいという問題がある。
【０００６】
本発明は、上述したような問題点に鑑みてなされたものであり、撮影設定を変更する場合にユーザが所望する設定値に素早く設定できるようにすることを目的とする。
【課題を解決するための手段】
【０００７】
本発明の撮像装置は、撮影設定を変更する画面において、自動的に値を決定するオートを含む全ての設定可能な設定候補のうち一部の範囲の複数の設定候補を並べたスケールを表示手段に表示すると共に、前記スケールとは異なる位置に、前記オートに設定するための表示アイテムを前記表示手段に表示するように制御する表示制御手段と、前記スケールに表示される設定候補の範囲を変更する操作および設定候補を選択する操作を受け付ける受付手段と、前記スケールに表示される設定候補を選択する操作に応じて前記スケールに表示された設定候補の１つを設定値として設定する設定手段と、を有する撮像装置であって、前記設定手段は、前記表示アイテムに対する操作に応じて、前記スケールに表示されている設定候補の範囲に関わらず、設定値として前記オートを設定することを特徴とする。
【発明の効果】
【０００８】
本発明によれば、撮影設定を変更する場合にユーザが所望する設定値に素早く設定することができる。
【図面の簡単な説明】
【０００９】
【図１】本実施形態のデジタルカメラの外観図である。
【図２】本実施形態のデジタルカメラの構成を示すブロック図である。
【図３】ＩＳＯ感度の設定を行うための設定画面を示す図である。
【図４】ＩＳＯ感度値を変更した場合の設定画面の表示例を示す図である。
【図５】ＩＳＯ感度値の設定画面の画面表示処理を示すフローチャートである。
【図６】ＩＳＯ感度の変更処理を示すフローチャートである。
【図７】オートタッチボタンの表示処理を示すフローチャートである。
【図８】ＩＳＯ感度値のオートとマニュアルとの切替処理を示すフローチャートである。
【発明を実施するための形態】
【００１０】
以下、添付の図面を参照して本発明の好適な実施形態について説明する。なお、以下に説明する実施形態では、本発明に係る撮像装置の一例として、デジタルカメラを適用した場合について説明する。
【００１１】
図１は、実施形態に係るデジタルカメラ１００の外観図である。
表示部１０１は、表示手段の一例であって、画像や各種情報を表示する。シャッターボタン１０２は、ユーザが撮影指示を行うためのボタンである。モード切替スイッチ１０３は、ユーザがデジタルカメラ１００の各種モードを切替えるためのスイッチである。コネクタ１０４は、接続ケーブル１０５を繋げるための接続部である。
操作部１０６は、ユーザからの各種操作を受け付ける。操作部１０６には、各種スイッチ、ボタン、表示部１０１の画面上に配置されたタッチパネル１０７、コントローラホイール１０８等の操作部材が含まれる。電源スイッチ１０９は、電源オン、電源オフを切替えるためのスイッチである。記録媒体１１０は、メモリカードやハードディスク等である。記録媒体スロット１１１は、記録媒体１１０を格納する。記録媒体スロット１１１に格納された記録媒体１１０は、デジタルカメラ１００との間で通信が可能である。記録媒体スロット１１１は、蓋１１２によって閉塞される。
【００１２】
図２は、デジタルカメラ１００の構成を示すブロック図である。なお、図１と同一の構成は、同一符号を付して適宜、その説明を省略する。
撮影レンズ２００は、ズームレンズ、フォーカスレンズを含むレンズ群である。シャッター２０１は、絞り機能を備える。撮像部２０２は、光学像を電気信号に変換するＣＣＤやＣＭＯＳ素子等で構成される撮像素子である。Ａ／Ｄ変換器２０３は、撮像部２０２から出力されるアナログ信号をデジタル信号に変換する。バリア２０４は、デジタルカメラ１００の撮影レンズ２００を覆うことにより、撮影レンズ２００、シャッター２０１、撮像部２０２を含む撮像系の汚れや破損を防止する。
【００１３】
画像処理部２０５は、Ａ／Ｄ変換器２０３からの画像データまたはメモリ制御部２０６からの画像データに対し所定の画素補間、縮小といったリサイズ処理や色変換処理を行う。また、画像処理部２０５では、撮像した画像データを用いて所定の演算処理が行われ、得られた演算結果に基づいてシステム制御部２０７が露光制御、測距制御を行う。この処理により、ＴＴＬ（スルー・ザ・レンズ）方式のＡＦ（オートフォーカス）処理、ＡＥ（自動露出）処理、ＥＦ（フラッシュプリ発光）処理が行われる。更に、画像処理部２０５では、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２０３からの画像データは、画像処理部２０５およびメモリ制御部２０６を介してまたはメモリ制御部２０６を介してメモリ２０８に直接書き込まれる。メモリ２０８は、撮像部２０２によって得られＡ／Ｄ変換器２０３によりデジタルデータに変換された画像データや表示部１０１に表示するための画像データを格納する。メモリ２０８は、所定枚数の静止画像や所定時間の動画像および音声を格納するのに十分な記憶容量を備えている。また、メモリ２０８は、画像表示用のメモリ（ビデオメモリ）を兼ねている。
【００１５】
Ｄ／Ａ変換器２０９は、メモリ２０８に格納されている表示用の画像データをアナログ信号に変換して表示部１０１に供給する。したがって、メモリ２０８に書き込まれた表示用の画像データは、Ｄ／Ａ変換器２０９を介して表示部１０１により表示される。表示部１０１は、ＬＣＤ等の表示器上にＤ／Ａ変換器２０９からのアナログ信号に応じた表示を行う。Ａ／Ｄ変換器２０３によって一度Ａ／Ｄ変換されメモリ２０８に蓄積されたデジタル信号をＤ／Ａ変換器２０９においてアナログ変換し、表示部１０１に逐次転送して表示することでスルー画像を表示でき、電子ビューファインダとして機能する。
【００１６】
不揮発性メモリ２１０は、電気的に消去・記録可能なメモリであり、例えばＥＥＰＲＯＭ等が用いられる。不揮発性メモリ２１０には、システム制御部２０７の動作用の定数、プログラム等が記録される。このプログラムは、本実施形態の後述する各種フローチャートを実行するためのプログラムである。
システム制御部２０７は、デジタルカメラ１００全体を制御する。システム制御部２０７は、表示制御手段、受付手段、設定手段および登録手段の一例に対応する。システム制御部２０７が不揮発性メモリ２１０に記録されたプログラムを実行することで、後述する本実施形態の各処理を実現する。システムメモリ２１１は、例えばＲＡＭが用いられる。システムメモリ２１１には、システム制御部２０７の動作用の定数、変数、不揮発性メモリ２１０から読み出したプログラム等を展開する。また、システム制御部２０７は、メモリ２０８、Ｄ／Ａ変換器２０９、表示部１０１等を制御することにより表示制御も行う。システムタイマ２１２は、各種制御に用いる時間や、内蔵された時計の時間を計測する計時部である。
【００１７】
操作部１０６、モード切替スイッチ１０３、第１シャッタースイッチ２１３、第２シャッタースイッチ２１４は、システム制御部２０７に各種の動作指示を入力するための操作手段である。
モード切替スイッチ１０３は、システム制御部２０７の動作モードを静止画記録モード、動画記録モード、再生モード等の何れかのモードに切替えることができる。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ１０３で、静止画記録モードに含まれる上述したモードの何れかに直接切替えることができる。あるいは、モード切替スイッチ１０３で静止画記録モードに一旦、切替えた後に、静止画記録モードに含まれる上述したモードの何れかに、他の操作部材を用いて切替えてもよい。同様に、動画記録モードにも複数のモードが含まれていてもよい。
【００１８】
第１シャッタースイッチ２１３は、デジタルカメラ１００のシャッターボタン１０２の操作途中、いわゆる半押し（撮影準備指示）でオンとなり第１シャッタースイッチ信号ＳＷ１を発生させる。システム制御部２０７は、第１シャッタースイッチ信号ＳＷ１により、ＡＦ処理、ＡＥ処理、ＡＷＢ処理、ＥＦ処理等の動作を開始する。
第２シャッタースイッチ２１４は、デジタルカメラ１００のシャッターボタン１０２の操作完了、いわゆる全押し（撮影指示）でオンとなり第２シャッタースイッチ信号ＳＷ２を発生させる。システム制御部２０７は、第２シャッタースイッチ信号ＳＷ２により、撮像部２０２からの信号読み出しから記録媒体１１０に画像データを書き込むまでの一連の撮影処理の動作を開始する。
【００１９】
操作部１０６の各操作部材は、表示部１０１に表示される種々の機能アイコンを選択操作すること等により、場面毎に適宜機能が割り当てられ、各種機能ボタンとして作用する。機能ボタンとして例えば、終了ボタン、戻るボタン、画像送りボタン、ジャンプボタン、絞込みボタン、属性変更ボタン、ＩＮＦＯボタン等がある。例えば、メニューボタンが押されると各種設定が可能なメニュー画面が表示部１０１に表示される。ユーザは表示部１０１に表示されたメニュー画面と、左右方向キー、上下方向キーおよびＳＥＴボタンとを用いて直感的に各種設定を行うことができる。
【００２０】
コントローラホイール１０８は、操作部１０６に含まれる回転操作可能な操作部材である。コントローラホイール１０８は、方向キーと共に選択項目を指示するとき等に使用される。コントローラホイール１０８を回転操作すると、操作量に応じて電気的なパルス信号が発生し、システム制御部２０７はパルス信号に基づいてデジタルカメラ１００の各部を制御する。システム制御部２０７は、このパルス信号によってコントローラホイール１０８が回転操作された角度や、何回転したか等を判定することができる。なお、コントローラホイール１０８は回転操作が検出できる操作部材であればどのようなものでもよい。例えば、ユーザの回転操作に応じてコントローラホイール１０８自体が回転してパルス信号を発生させるダイヤル操作部材であってもよい。また、タッチセンサよりなる操作部材で、コントローラホイール１０８自体は回転せず、コントローラホイール１０８上でのユーザの指の回転動作等を検出するものであってもよい（いわゆる、タッチホイール）。本実施形態では、コントローラホイール１０８をダイヤル操作が可能なダイヤル操作部材として説明する。
【００２１】
電源制御部２１５は、電池検出回路、ＤＣ−ＤＣコンバータ、通電するブロックを切替えるスイッチ回路等により構成され、電池の装着の有無、電池の種類、電池残量の検出を行う。また、電源制御部２１５は、その検出結果およびシステム制御部２０７の指示に基づいてＤＣ−ＤＣコンバータを制御し、必要な電圧を必要な期間、記録媒体１１０を含む各部へ供給する。電源部２１６は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１７は、撮像された画像を記録するためのメモリカード等であり、半導体メモリや磁気ディスク等から構成される。
【００２２】
また、操作部１０６の一つとして、表示部１０１に対する接触を検知可能なタッチパネル１０７を有する。タッチパネル１０７と表示部１０１とは一体的に構成することができる。例えば、光の透過率が表示部１０１の表示を妨げないように、タッチパネル１０７を表示部１０１の表示面の上層に取り付ける。そして、タッチパネル１０７における入力座標と、表示部１０１上の表示座標とを対応付けることで、あたかもユーザが表示部１０１上に表示された画面を直接的に操作可能であるかのようなＧＵＩを構成することができる。
タッチパネル１０７には抵抗膜方式や静電容量方式、表面弾性波方式、赤外線方式、電磁誘導方式、画像認識方式、光センサ方式等の様々な方式のうち何れかを用いることができる。
【００２３】
システム制御部２０７はユーザによるタッチパネル１０７に対する以下の操作を検出できる。タッチパネル１０７を指やペンで触れたこと（タッチダウン操作）。タッチパネル１０７を指やペンで触れている状態であること（タッチオン操作）。タッチパネル１０７を指やペンで触れたまま移動していること（ムーブ操作）。タッチパネル１０７へ触れていた指やペンを離したこと（タッチアップ操作）。タッチパネル１０７に何も触れていない状態（タッチオフ操作）。
【００２４】
上述した操作やタッチパネル１０７上に指やペンが触れている位置座標は内部バス２１８を通じてシステム制御部２０７に通知される。システム制御部２０７は通知された情報に基づいてタッチパネル１０７上でどのような操作が行なわれたかを判定する。ムーブ操作については、システム制御部２０７はタッチパネル１０７上で移動する指やペンの移動方向を位置座標の変化に基づいて、タッチパネル１０７上の垂直成分・水平成分毎に判定できる。また、タッチパネル１０７上をタッチダウン操作から一定のムーブ操作を経てタッチアップ操作をしたとき、ストロークを描いたことになる。素早くストロークを描く操作をフリック操作と呼ぶ。フリック操作は、タッチパネル１０７上に指を触れたままある程度の距離だけ素早く動かして、そのまま離すといった操作であり、言い換えればタッチパネル１０７上を指ではじくように素早くなぞる操作である。システム制御部２０７は所定距離以上を所定速度以上でムーブ操作されたことを検出し、そのままタッチアップ操作を検出するとフリック操作が行なわれたと判定する。また、システム制御部２０７は所定距離以上を所定速度未満でムーブ操作したことが検出された場合はドラッグ操作が行なわれたと判定する。
【００２５】
以下、図面を参照して、デジタルカメラ１００の撮影設定に関する設定値を設定する方法について説明する。ここでは、デジタルカメラ１００の撮影設定としてＩＳＯ感度を取り上げて説明する。
図３は、表示部１０１に表示されるＩＳＯ感度値の設定を行うための設定画面を示す図である。図３に示す画面には、情報表示３０１、スケール３０２、左方向のタッチボタン３０３、右方向のタッチボタン３０４、オートタッチボタン３０５、終了タッチボタン３０６等が表示される。ユーザがスケール３０２内に表示されるＩＳＯ感度値の何れかを選択することで、選択されたＩＳＯ感度値が設定される。
【００２６】
情報表示３０１は、スケール３０２に表示されるＩＳＯ感度値のうちユーザにより選択されたＩＳＯ感度値を表示している。
スケール３０２は、複数のＩＳＯ感度値を並べて表示している。ここで、スケール３０２には、デジタルカメラ１００に設定可能なＩＳＯ感度値（設定候補）のうち一部の範囲の複数のＩＳＯ感度値３０２ａが一定の間隔をあけて左右方向に並べて表示される。また、スケール３０２は、各ＩＳＯ感度値３０２ａに対応する目盛３０２ｂが、一定の間隔をあけて左右方向に並べて表示される。更に、スケール３０２では、選択されたＩＳＯ感度値に対応する目盛にカーソル３０２ｃが表示される。したがって、ユーザは選択しているＩＳＯ感度値を簡単に確認できる。また、スケール３０２では、表示するＩＳＯ感度値の範囲を、選択されたＩＳＯ感度値とその近隣値を含む範囲にして表示される。したがって、ユーザは、選択したＩＳＯ感度値とその近隣値を簡単に確認できる。
【００２７】
ユーザはコントローラホイール１０８のダイヤル操作（以下、ダイヤル操作という）や左右方向キーの操作により、異なるＩＳＯ感度値を選択することができる。システム制御部２０７は、操作部１０６による操作量に応じて、異なるＩＳＯ感度値を選択状態にして表示する。具体的には、システム制御部２０７は、スケール３０２の中央に、選択されたＩＳＯ感度値を表示すると共に、選択されたＩＳＯ感度値に対応する目盛にカーソル３０２ｃを表示する。更に、システム制御部２０７は、選択されたＩＳＯ感度値の数値を情報表示３０１として表示する。
また、タッチパネル１０７によるタッチ操作が有効である場合、ユーザはスケール３０２内でムーブ操作を行うことができる。システム制御部２０７は、ムーブ操作による移動量に応じて、スケール３０２内に表示するＩＳＯ感度値を変更して表示する。
また、ユーザはスケール３０２内の何れかのＩＳＯ感度値に対してタッチ操作を行うことができる。システム制御部２０７は、タッチ操作されたＩＳＯ感度値を、ユーザにより選択されたＩＳＯ感度値として選択状態にして表示する。更に、システム制御部２０７は、スケール３０２内に表示するＩＳＯ感度値の範囲を、選択されたＩＳＯ感度値とその近隣値を含む範囲に変更する。
【００２８】
このように、スケール３０２内に一度に表示するＩＳＯ感度値の範囲は、設定可能なＩＳＯ感度値の全ての範囲ではなく、現在選択されているＩＳＯ感度値の周辺の一部である。したがって、設定可能なＩＳＯ感度値の全範囲を表示する場合に比べて、ＩＳＯ感度値の間隔や、ＩＳＯ感度値に対応する目盛の間隔を大きく表示することができる。例えば、ＩＳＯ感度値の間隔およびＩＳＯ感度値に対応する目盛の間隔が狭いと、タッチ操作による正確な操作が困難になってしまう。しかしながら、本実施形態のようにスケール３０２内に一度に表示するＩＳＯ感度値の範囲を一部に絞ることでＩＳＯ感度値の間隔および目盛の間隔を大きくすることができ、ユーザはタッチ操作によって所望するＩＳＯ感度値を正確に選択することができる。
【００２９】
左方向のタッチボタン３０３は設定画面の左側に表示され、右方向のタッチボタン３０４は設定画面の右側に表示される。ユーザは、タッチボタン３０３、３０４に対するタッチ操作を行うことができる。システム制御部２０７は、タッチボタン３０３、３０４に対するタッチ操作に応じて、ダイヤル操作や左右方向キーの操作と同様の処理を行う。具体的には、システム制御部２０７は、タッチボタン３０３、３０４に対する１回のタッチ操作に応じて、現在選択されているＩＳＯ感度値からタッチボタン３０３、３０４に対応する方向に隣接するＩＳＯ感度値を選択状態にして表示する。なお、現在選択されているＩＳＯ感度値がスケール３０２内の端に位置するＩＳＯ感度値の場合にはＩＳＯ感度値を変更できず、ユーザによるタッチボタン３０３、３０４のタッチ操作が無効になる場合がある。この場合には、システム制御部２０７はＩＳＯ感度値を変更することができない側のタッチボタン３０３、３０４を無効表示する。無効表示とは、ユーザに対してボタンが無効であることを識別させるための表示である。無効表示として、例えばボタン内をグレーアウトにして表示する。一方、有効表示とは、ユーザに対してボタンが有効であることを識別させるための表示である。有効表示として、例えばボタン内を白色等にして表示する。
なお、タッチ操作が無効の場合、システム制御部２０７は、タッチボタン３０３、３０４をタッチボタンではなく方向キーの操作ガイド表示とする。
【００３０】
オートタッチボタン３０５は、ＩＳＯ感度値をオートに設定するためのボタンである。ユーザは、オートタッチボタン３０５に対するタッチ操作を行うことができる。システム制御部２０７は、オートタッチボタン３０５に対するタッチ操作に応じて、スケール３０２内に表示されるＩＳＯ感度値のうちオート（ＡＵＴＯ）を選択状態にして表示すると共に、ＩＳＯ感度値をオートに設定する。ここで、ＩＳＯ感度値をオートに設定した場合、システム制御部２０７は自らが最適なＩＳＯ感度値を決定する。すなわち、ＩＳＯ感度値が自動的に決定されるので、ユーザはＩＳＯ感度値を選択する必要がない。
このとき、システム制御部２０７はユーザに対してＩＳＯ感度値がオートに変更されたことを明示するため、スケール移動のアニメーション表示を行う。スケール移動のアニメーション表示とは、スケール３０２内に表示するＩＳＯ感度値の範囲を、現在の範囲から最終的に左端に位置するオートを含む範囲となるように徐々に移動させる表示をいう。すなわち、スケール３０２を右側に移動するスクロールアニメーションである。なお、この設定画面においてユーザにより操作部１０６のＩＮＦＯボタンの操作が行われた場合、システム制御部２０７はオートタッチボタン３０５のタッチ操作と同様の処理を行う。以降のオートタッチボタン３０５に関する記載は、操作部１０６のＩＮＦＯボタンを操作することでも実施可能となる。なお、タッチ操作が無効である場合、オートタッチボタン３０５は、同様の操作が割り当てられる操作部１０６のどの操作部材になっているかの操作ガイド表示となる。
【００３１】
終了タッチボタン３０６は、設定画面を終了させるためのボタンである。ユーザは、終了タッチボタン３０６に対するタッチ操作を行うことができる。システム制御部２０７は、終了タッチボタン３０６に対するタッチ操作に応じて、ＩＳＯ感度値の設定を行う設定画面を終了する。
【００３２】
図４は、上述したＩＳＯ感度値の設定画面において、ＩＳＯ感度値を変更した場合の表示例を示す図である。
図４（ａ）は、スケール３０２が右端になった場合の設定画面である。
図４（ａ）に示す右端のＩＳＯ感度値は、現在のデジタルカメラ１００の設定状態において設定可能なＩＳＯ感度値のうち最も右端に位置するもの（最大のＩＳＯ感度値）である。ここでは、拡張ＩＳＯ感度の範囲まで設定できる状態であるため、ＩＳＯ感度値Ｈ（２５６００）が選択されている。この表示状態では、左端に位置するオートは表示されない。また、右方向のタッチボタン３０４は無効表示となる。
【００３３】
図４（ｂ）は、スケール３０２内に左端が表示されている場合の設定画面である。
図４（ｂ）では、現在選択されているＩＳＯ感度値の近隣値が表示されると共に、左端に位置するオートも含めて表示される。なお、デジタルカメラ１００の設定状態によってはＩＳＯ感度値をオートに設定できず、無効になる場合がある。この場合、オートタッチボタン３０５は無効表示となる。また、オートに設定できない場合、左端のＩＳＯ感度値は、現在のデジタルカメラ１００の設定状態において設定可能なＩＳＯ感度値のうち最も左端に位置するもの（最小のＩＳＯ感度値）である。
【００３４】
図４（ｃ）は、スケール３０２が左端になった場合の設定画面である。
図４（ｃ）では、選択されているＩＳＯ感度値がオートであることを表示している。この場合、オートタッチボタン３０５および左方向のタッチボタン３０３は無効表示となる。
【００３５】
次に、ＩＳＯ感度値の設定画面の画面表示処理について図５のフローチャートを参照して説明する。なお、図５を含む以下のフローチャートは、システム制御部２０７が不揮発性メモリ２１０に記録されたプログラムをシステムメモリ２１１に展開して実行することにより実現する。
まず、ステップＳ５０１では、システム制御部２０７は、画面表示処理を開始すると、不揮発性メモリ２１０からＩＳＯ感度値とＩＳＯ感度値の設定に関連するデジタルカメラ１００の設定値とを取得する。
ステップＳ５０２では、システム制御部２０７は、表示部１０１に図３に示すような表示アイテムを表示する。この処理は、表示制御手段による処理の一例に対応する。
ステップＳ５０３では、システム制御部２０７は、ステップＳ５０１において取得したＩＳＯ感度値が選択状態になるように、ＩＳＯ感度値の情報表示３０１とスケール３０２とを表示する。すなわち、システム制御部２０７は、取得したＩＳＯ感度値を情報表示３０１として表示し、スケール３０２の中央に取得したＩＳＯ感度値を表示すると共に、取得したＩＳＯ感度値に対応する目盛にカーソル３０２ｃを表示する。
【００３６】
ステップＳ５０４では、システム制御部２０７は、ステップＳ５０１において取得したＩＳＯ感度値がオートであるか否かを判定する。オートである場合にはステップＳ５０５に進み、オートではない場合にはステップＳ５０７に進む。
ステップＳ５０５では、システム制御部２０７は、オートタッチボタン３０５を無効表示にする。
ステップＳ５０６では、システム制御部２０７は、左方向のタッチボタン３０３を無効表示にする。このとき、システム制御部２０７は、左方向のタッチボタン３０３のタッチ操作、ダイヤル操作および左方向キーの操作を無効にする。
ステップＳ５０４からステップＳ５０７に進んだ場合、システム制御部２０７は、左方向のタッチボタン３０３を有効表示にし、左方向のタッチボタン３０３の操作、ダイヤル操作および左方向キーの操作を有効にする。
【００３７】
ステップＳ５０８では、システム制御部２０７は、ステップＳ５０１において取得したＩＳＯ感度値が現在とりうるＩＳＯ感度値の最大値であるか否かを判定する。最大値である場合にはステップＳ５０９に進み、最大値ではない場合にはステップＳ５１０に進む。
ステップＳ５０９では、システム制御部２０７は、右方向のタッチボタン３０４を無効表示にする。また、システム制御部２０７は、右方向のタッチボタン３０４のタッチ操作、ダイヤル操作および右方向キーの操作を無効にする。
一方、ステップＳ５１０では、システム制御部２０７は、右方向のタッチボタン３０４を有効表示にし、右方向のタッチボタン３０４、ダイヤル操作および右方向キーの操作を有効にする。
【００３８】
次に、ＩＳＯ感度値の設定画面におけるＩＳＯ感度値の変更処理について図６のフローチャートを参照して説明する。ここでは、システム制御部２０７が操作部１０６を介した操作を取得することで、表示部１０１に表示する設定画面を変更する。
【００３９】
まず、ステップＳ６０１では、システム制御部２０７は、画面表示処理を行う。ステップＳ６０１の画面表示処理は、上述したステップＳ５０１〜ステップＳ５１０の処理である。画面表示処理が完了し、例えばＩＳＯ感度値が１６０であった場合には、図４（ｂ）に示す画面表示になる。
ステップＳ６０２では、システム制御部２０７は、ユーザによるコントローラホイール１０８、左右方向キー、左方向のタッチボタン３０３、右方向のタッチボタン３０４またはスケール３０２に対する何れかの操作があったか否かを判定する。すなわち、システム制御部２０７は、ユーザによる右方向操作または左方向操作があったか否かを判定する。この処理は、受付手段による処理の一例に対応する。右方向操作または左方向操作があった場合にはステップＳ６０３に進み、右方向操作または左方向操作がない場合にはステップＳ６０４に進む。
【００４０】
ステップＳ６０３では、システム制御部２０７は、コントローラホイール１０８、左右方向キー、左方向のタッチボタン３０３、右方向のタッチボタン３０４、スケール３０２の操作方向と操作量の何れかの操作を取得する。システム制御部２０７は、取得した操作に応じて、ユーザにより選択されたＩＳＯ感度値を不揮発性メモリ２１０に記録する。例えば、システム制御部２０７が操作部１０６の左方向キーによる１回の操作を取得した場合、スケール３０２内で選択されているＩＳＯ感度値の１つ左側に位置するＩＳＯ感度値を記録する。また、システム制御部２０７が操作部１０６の右方向キーによる１回の操作を取得した場合、スケール３０２内で選択されているＩＳＯ感度値の１つ右側に位置するＩＳＯ感度値を記録する。システム制御部２０７は、選択されたＩＳＯ感度値を不揮発性メモリ２１０に記録することで、ＩＳＯ感度値を設定する。この処理は、設定手段による処理の一例に対応する。
一方、ステップ６０４では、システム制御部２０７は、ユーザによる操作部１０６のＩＮＦＯボタンまたはオートタッチボタン３０５に対する操作があったか否かを判定する。操作があった場合にはステップＳ６０５に進み、操作がない場合にはステップＳ６０７に進む。
【００４１】
ステップＳ６０５では、システム制御部２０７は、ＩＳＯ感度値をオートとして不揮発性メモリ２１０に記録することで、ＩＳＯ感度値を設定する。
ステップＳ６０６では、システム制御部２０７は、スケール３０２内で選択されているＩＳＯ感度値をオートに変更するアニメーション表示を行い、ユーザに対してＩＳＯ感度値がオートに設定されたことを識別可能に明示する。このようにアニメーション表示を挟むことでＩＳＯ感度値が変更されたことを強調でき、ユーザにＩＳＯ感度がオートに設定されたことを十分に認識させることができる。
【００４２】
ステップＳ６０７では、システム制御部２０７は、ＩＳＯ感度値の設定画面の表示アイテムを更新する画面表示処理を行う。この処理は、上述したステップＳ５０３〜ステップＳ５１０と同様の処理である。ステップＳ６０７の画面表示処理が完了し、ＩＳＯ感度値がオートに更新された場合には、図４（ｃ）に示す設定画面になる。
ステップＳ６０８では、システム制御部２０７は、ＩＳＯ感度値を設定する設定画面を終了する操作が行われたか否かを判定する。設定画面を終了する操作が行われた場合にはシステム制御部２０７は設定画面を終了し、設定画面を終了する操作が行われていない場合にはステップＳ６０２に戻る。
【００４３】
本実施形態では、上述したステップＳ６０４およびステップＳ６０５の処理を行うことで、ＩＳＯ感度値を１回の操作でオートに設定することができる。例えば、ステップＳ６０２、ステップＳ６０３の処理のみでは１回の操作につきスケール３０２内のＩＳＯ感度値を１つずつ動かす操作となってしまう。したがって、例えば図４（ａ）のように右端から図４（ｃ）の左端に位置するオートまで変更するには手数が掛かってしまう。
一方、本実施形態では、ＩＳＯ感度値を１つずつ動かす手数を省略することができ、所望するＩＳＯ感度値、ここではオートに素早く設定することができるので、ＩＳＯ感度値を設定するときの操作性を向上させることができる。
【００４４】
次に、スケール３０２内の表示に応じてオートタッチボタン３０５を表示または非表示にする表示処理について図７のフローチャートを参照して説明する。
この処理は、上述したステップＳ６０１〜ステップＳ６０７の後、ステップＳ６０８の前に行われる。
ステップＳ７０１では、システム制御部２０７は、ステップＳ６０３またはステップＳ６０５において不揮発性メモリ２１０に記録されているＩＳＯ感度値、すなわち現在設定されているＩＳＯ感度値を取得する。
ステップＳ７０２では、システム制御部２０７は、現在のデジタルカメラ１００の設定状態に基づいてオートをスケール３０２内に表示できるか否かを判定する。このように、オートを表示できるか否かを判定するのは、例えば同じＩＳＯ感度値であってもＩＳＯ感度値を拡張する設定を有効にしている場合、スケール３０２内の左端に位置するオートを表示できる場合とできない場合とがあるためである。スケール３０２内にオートを表示できる場合にはステップＳ７０３に進み、オートを表示できない場合にはステップＳ７０４に進む。
【００４５】
ステップＳ７０３では、システム制御部２０７は図４（ｄ）に示すようにオートタッチボタン３０５を非表示にする。図４（ｄ）では、スケール３０２内にオートを表示できる場合を示している。
一方、ステップＳ７０４では、システム制御部２０７は、既に設定画面内にオートタッチボタン３０５が表示されているか否かを判定する。表示されていない場合にはステップＳ７０５に進み、システム制御部２０７は、図４（ｅ）に示すようにオートタッチボタン３０５を表示し、表示されている場合には処理を終了する。
【００４６】
上述したステップＳ６０８では図４（ｃ）に示す設定画面のようにオートタッチボタン３０５を無効表示にしたが、ここではスケール３０２内にオートが表示される場合には、システム制御部２０７はオートタッチボタン３０５を非表示にする。このような処理によって、１回の操作でオートに設定できるようにしつつも、オートタッチボタン３０５を非表示にすることで、自然画や撮影時のスルー画像上に設定画面を表示した場合でも、ユーザは後側の画像をより広く視認できる。特に、常にスルー画像を表示させるミラーレスタイプ等のデジタルカメラに適用した場合、ユーザは撮影対象の広い視認が可能になる。
【００４７】
次に、オートタッチボタン３０５を用いてＩＳＯ感度値のオートとマニュアルとの切替処理について図８のフローチャートを参照して説明する。なお、上述の図４（ｃ）の説明では、選択されているＩＳＯ感度値がオートである場合にはオートタッチボタン３０５を無効表示するものとして説明したが、ここではＩＳＯ感度値がオートであってもオートタッチボタン３０５を有効表示し、タッチ操作を有効にする。
まず、ステップＳ８０１では、システム制御部２０７は、画面表示処理を行う。ステップＳ８０１の画面表示処理は、上述したステップＳ５０１〜ステップＳ５１０の処理である。
ステップＳ８０２では、システム制御部２０７は、ユーザによる操作部１０６のＩＮＦＯボタンまたはオートタッチボタン３０５に対する操作があったか否かを判定する。操作があった場合にはステップＳ８０３に進み、操作がない場合にはステップＳ８０９に進む。
ステップＳ８０３では、システム制御部２０７は、現在設定されているＩＳＯ感度値がオートであるか否かを判定する。オートの場合にはステップＳ８０４に進み、オートではない場合にはステップＳ８０６に進む。
【００４８】
ステップＳ８０４では、システム制御部２０７は、マニュアル時のＩＳＯ感度値を不揮発性メモリ２１０から取得する。ここで、マニュアル時のＩＳＯ感度値とは、ユーザによる操作を介して設定したときのＩＳＯ感度値であり、後述するステップＳ８１２において不揮発性メモリ２１０に記録されるＩＳＯ感度値である。
ステップＳ８０５では、システム制御部２０７は、取得したマニュアル時のＩＳＯ感度値を、現在のＩＳＯ感度値として不揮発性メモリ２１０に記録する。
ステップＳ８０３からステップＳ８０６に進んだ場合、システム制御部２０７は、現在のＩＳＯ感度値をオートにして不揮発性メモリ２１０に記録する。このようにしてステップＳ８０３〜ステップＳ８０６においてＩＳＯ感度値のマニュアルとオートとの切替えが行われる。
【００４９】
ステップＳ８０７では、システム制御部２０７は、スケール３０２内で選択されているＩＳＯ感度値を不揮発性メモリ２１０に記録されたＩＳＯ感度値に変更するアニメーション表示を行う。この処理により、ユーザに対してオートとマニュアルとが切替えられたことを識別可能に明示する。
ステップＳ８０８では、システム制御部２０７は、ＩＳＯ感度値の設定画面の表示アイテムを更新する画面表示処理を行う。この処理は、上述したステップＳ５０３〜ステップＳ５１０と同様の処理である。
【００５０】
ステップＳ８０２からステップＳ８０９に進んだ場合、システム制御部２０７は、右方向操作または左方向操作があったか否かを判定する。操作があった場合にはステップＳ８１０に進み、操作がない場合にはステップＳ８１３に進む。
ステップＳ８１０では、システム制御部２０７は、取得した操作に応じて、ユーザにより選択されたＩＳＯ感度値を不揮発性メモリ２１０に記録する。例えばＩＳＯ感度値にオートが設定されている状態で、右方向操作があった場合には、現在とりうるＩＳＯ感度値の最小値が不揮発性メモリ２１０に記録される。ステップＳ８１０の処理は、ステップＳ６０３の処理と同様である。
ステップＳ８１１では、システム制御部２０７は、ＩＳＯ感度値がオートか否かを判定する。オートの場合にはステップＳ８０８に進み、オートではない場合にはステップＳ８１２に進む。
ステップＳ８１２では、システム制御部２０７は、現在のＩＳＯ感度値をマニュアル時のＩＳＯ感度値として不揮発性メモリ２１０に更新し、記録する。その後、ステップＳ８０８に進む。
【００５１】
ステップＳ８０９からステップＳ８１３に進んだ場合、すなわち右方向操作または左方向操作がない場合には、システム制御部２０７は、その他の操作であると判定し、ステップＳ８１３に進む。ステップＳ８１３では、システム制御部２０７は、その他の操作に応じた処理を行う。
以上の処理の後、ステップＳ８１４では、システム制御部２０７は、ＩＳＯ感度値の設定を行う設定画面を終了する操作が行われたか否かを判定する。設定画面を終了する操作が行われた場合にはシステム制御部２０７は設定画面を終了し、設定画面を終了する操作が行われていない場合にはステップＳ８０２に戻る。
【００５２】
本実施形態では、上述したステップＳ８０３〜ステップＳ８０６の処理を行うことで、ＩＳＯ感度値のマニュアルとオートとの切替えを行うことができる。特に、オートからマニュアルに切替えられた場合、ＩＳＯ感度値をオートに設定する前のＩＳＯ感度値（マニュアル時のＩＳＯ感度値）を現在のＩＳＯ感度値として設定されることから、ユーザが以前に操作して設定したＩＳＯ感度値に素早く設定される。したがって、ＩＳＯ感度値を設定するときの操作性を向上させることができる。
【００５３】
以上、本実施形態によれば、スケール３０２内にオートが表示されておらず、ＩＳＯ感度値を直ぐにオートに設定できない場合であっても、ＩＮＦＯボタンまたはオートタッチボタン３０５を用いることで、１回の操作でオートに設定することができる。デジタルカメラ１００でのＩＳＯ感度値のオートは、ユーザに使用される頻度が非常に高く重要な設定値である。例えば、非常に暗い場所での撮影を行う場合に試し撮りとしてオートに設定する場合がある。また、被写体によってシャッタースピードや絞りを決定したいときにＩＳＯ感度をオートに設定してから調整を行う場合もある。その他、あまり設定にこだわらず簡単に撮影を行いたいユーザにもよく使用される。したがって、オートに設定する場合には、設定までの手数を少なくし設定時の煩わしさを発生させないことは重要である。
また、素早くＩＳＯ感度を切替えなければならない場面ではオートに設定するまでに手数が掛かるとシャッターチャンスを逃すことにつながってしまう。この場合であってもオートに設定するまでの手数を１回の操作にすることで解消することができる。また、スケール３０２の表示状態によってはスケール３０２内にオートが表示されず、ユーザがオートの存在を認識することができなかったり、オートの位置を認識することができなったりする場合がある。この場合であっても、ユーザはオートに素早く設定することができる。
【００５４】
以上、本発明の好ましい実施形態について説明したが、本発明はこれらの実施形態に限定されず、その要旨の範囲内で種々の変形および変更が可能である。
例えば、本実施形態では、ＩＮＦＯボタンまたはオートタッチボタン３０５の操作に応じて、システム制御部２０７がＩＳＯ感度値をオートに設定している。しかしながら、この場合に限られず、予めユーザがよく使用する任意のＩＳＯ感度値を不揮発性メモリ２１０に登録できるようにしてもよい。この場合、システム制御部２０７は不揮発性メモリ２１０に登録された任意のＩＳＯ感度値に対応するタッチボタンを表示し、スケール３０２とは異なる位置に表示してもよい。ここで、登録された任意のＩＳＯ感度値に対応するタッチボタンは、登録表示アイテムの一例に対応する。図４（ｆ）は、任意のＩＳＯ感度値としてＩＳＯ感度値８０００に対応するタッチボタン３０７を表示した設定画面の一例である。システム制御部２０７は、タッチボタン３０７を介して１回のタッチ操作により、ＩＳＯ感度を不揮発性メモリ２１０に登録したＩＳＯ感度値に設定する。この処理により、例えば暗い場所での高ＩＳＯ感度撮影に素早く対応したい場合には１回の操作で高いＩＳＯ感度値に変更することができる。なお、不揮発性メモリ２１０に任意のＩＳＯ感度値が登録されている場合には、システム制御部２０７は、オートタッチボタン３０５を非表示にして、タッチボタン３０７のみを表示してもよい。
【００５５】
また、本実施形態では、ＩＳＯ感度値をオートに設定する操作部やＩＳＯ感度をオートとマニュアルとで切替える操作部をＩＮＦＯボタンやオートタッチボタン３０５にする場合について説明したが、この場合に限られず、他の割り当て可能な操作部材でもよい。
また、本実施形態では、ＩＳＯ感度値を選択する操作を右方向操作、左方向操作とする場合について説明したが、この場合に限られず、上方向の操作、下方向の操作としてもよい。この場合、スケール３０２内の複数のＩＳＯ感度値を上下方向に並べて表示し、ＩＳＯ感度値のオートを上端または下端に表示する。また、左方向のタッチボタン３０３、右方向のタッチボタン３０４に変えて、上下方向のタッチボタンに変更するものとする。
【００５６】
また、本実施形態では、右方向操作、左方向操作を行ったときにＩＳＯ感度値を不揮発性メモリ２１０に記録して、ＩＳＯ感度値を直ちに設定する場合について説明したが、この場合に限られない。例えば、終了タッチボタン３０６をＳＥＴボタン等としてＩＳＯ感度値を設定する設定画面を終了する操作が行われたときに、システム制御部２０７は、ＩＳＯ感度値を不揮発性メモリ２１０に記録し、ＩＳＯ感度値を設定してもよい。
また、本実施形態では、図４（ｃ）のように左端にＩＳＯ感度値のオートが存在する場合について説明したが、オートが右端に存在してもよく、左右両端に存在してもよい。また、スケールのＩＳＯ感度値を上下方向に並べて表示した場合には、オートが上下両端に存在してもよい。
【００５７】
また、本実施形態および本実施形態の変形例では、撮影設定に関する設定値としてＩＳＯ感度値を取り上げて説明したが、この場合に限られず、他の撮影設定に関する設定値であってもよい。例えば、設定値としてシャッター速度、絞り値（Ｆ値）等であってもよい。この場合でもＩＳＯ感度値と同様に、システム制御部２０７は、設定可能な複数の設定候補を並べたスケールを表示し、スケールと異なる位置に自動的に設定値を決定するためのオートタッチボタンを表示する。したがって、ユーザはオートタッチボタン３０５を用いることで、１回の操作でオートに設定することができる。
【００５８】
なお、システム制御部２０７の制御は１つのハードウェアが行ってもよいし、複数のハードウェアが処理を分担することで、デジタルカメラ１００全体の制御を行ってもよい。
また、本実施形態においては、本発明をデジタルカメラ１００に適用した場合を例にして説明したが、この場合に限られず、撮影設定を変更する複数の設定候補を並べて表示するスケールを表示する撮像装置であれば適用可能である。すなわち、本発明はＰＤＡ、携帯電話端末や携帯型の画像ビューワ、音楽プレーヤー、ゲーム機、電子ブックリーダー等に適用可能である。
【００５９】
（他の実施形態）
本発明は、以下の処理を実行することによっても実現される。すなわち、上述した実施形態の機能を実現するプログラムをネットワークまたは各種記録媒体を介してシステムあるいは撮像装置に供給し、そのシステムあるいは撮像装置のコンピュータ（またはＣＰＵやＭＰＵ等）がプログラムを読み出して実行する処理である。この場合、そのプログラムおよびプログラムを記録したコンピュータ読み取り可能な記録媒体は本発明を構成することになる。
【符号の説明】
【００６０】
１００：デジタルカメラ（撮像装置）  １０１：表示部  １０２：シャッターボタン  １０３：１０６：操作部  １０７：タッチパネル  １０８：コントローラホイール  １１０：記録媒体  ２０７：システム制御部  ２１０：不揮発性メモリ
【図１】
2014056470.tif 000003
【図２】
2014056470.tif 000004
【図３】
2014056470.tif 000005
【図４】
2014056470.tif 000006
【図５】
2014056470.tif 000007
【図６】
2014056470.tif 000008
【図７】
2014056470.tif 000009
【図８】
2014056470.tif 000010